(57)【要約】【課題】葬儀用ナレーションのシナリオとこれを用いた追悼ビデオを、短時間の内に、簡単かつ的確に作成し、効果的な葬儀を演出する。【解決手段】内部記憶装置１０に格納される入力ワークシート（１１ａ）　とシナリオワークシート（１１ｂ）とがリンクしているので、入力ワークシート中の各フィールドに所定のデータを入力すれば、この入力データがシナリオワークシート中の所定のフィールドに転送されて入力される。これにより、葬儀用ナレーションのシナリオを自動的に作成できる。しかも、内部記憶装置１０に格納されるシナリオワークシート（１１ａ）とデータベース（１１ｃ）と法要日程管理データ（１１ｄ）とがリンクしているので、シナリオワークシートにデータが入力されると、この入力データに基づき自動的にデータベースが作成され、更に、このデータベースに基づき自動的に法要日程管理データが作成される。【選択図】　　図１
2004078263.tif 000002
【特許請求の範囲】
【請求項１】
表計算ソフトウェアを用いて作成されたナレーションプログラムに従って装置全体を制御する制御手段と、
データを入力するための入力手段と、
前記制御手段によりアクセスされ、故人を特定するデータを入力するための故人特定フィールド、故人の死亡年月日を入力するための死亡年月日フィールド、宗派を入力するための宗旨フィールド、及びその他のデータを入力するための入力フィールドを有する入力ワークシートのデータを格納する入力ワークシート格納領域と、
前記制御手段によりアクセスされ、書換可能な定例文が入力された定例文フィールドと、前記故人特定フィールド及び前記入力フィールドにリンクしていてこれらのフィールドに入力されたデータが編集されて作成された文章が入力される第１の編集文フィールドと、前記故人特定フィールド及び前記入力フィールドにリンクしていてこれらのフィールドに入力されたデータに基づき史実格納領域から読み出された歴史的な出来事が貼り付けられて入力される第１の貼付フィールドと、前記故人特定フィールド、前記死亡年月日フィールド、及び前記入力フィールドにリンクしていてこれらのフィールドに入力されたデータがコピーされて入力されるコピーフィールドと、前記死亡年月日フィールドにリンクしていてこのフィールドに入力されたデータが編集されて作成された文章が入力される第２の編集文フィールドと、前記宗旨フィールドにリンクしていてこのフィールドに入力されたデータに基づき宗旨格納領域から読み出された宗旨に関する定例文が貼り付けられて入力される第２の貼付フィールドと、ディスプレイに表示するための複数の画像の画像番号が表示順に入力される画像番号フィールドとが、それぞれ時系列的に配置された１月分〜１２月分のシナリオワークシートのデータを格納するシナリオワークシート格納領域と、
前記制御手段によりアクセスされ、前記第１、第２の編集文フィールド、前記第１の貼付フィールド、前記コピーフィールド、及び前記第２の貼付フィールドの全部又は主要部分とリンクしていてこれらのフィールドデータに基づき生成されたデータベースを格納するデータベース格納領域と、
前記制御手段によりアクセスされ、前記データベースにリンクしていてこのデータベースに基づき生成された法要日程管理データを格納する法要日程格納領域と、
前記シナリオワークシート格納領域に格納されたシナリオワークシートのデータ及びその他のデータを外部に出力する出力手段と、
を備えたことを特徴とする葬儀用ナレーションのシナリオ作成装置。
【請求項２】
前記出力手段は、前記シナリオワークシートのデータを印刷して出力することを特徴とする請求項１に記載された葬儀用ナレーションのシナリオ作成装置。
【請求項３】
画像音楽編集プログラムに従って装置全体を制御する制御手段と、
画像データ及び音楽データを入力するための入力手段と、
前記制御手段によりアクセスされ、請求項１記載の葬儀用ナレーションのシナリオ作成装置により作成されたシナリオワークシートのデータを格納するシナリオワークシート格納領域と、
前記制御手段によりアクセスされ、前記入力手段により入力された複数の画像データを、前記シナリオワークシート中の画像番号フィールドの画像番号に対応させて格納すると共に、前記入力手段により入力された音楽データを、前記シナリオワークシートのナレーションに対応させて格納するビデオデータ格納領域と、
前記ビデオデータ格納領域に格納された画像データ及び音楽データを追悼ビデオデータとして外部に出力する出力手段と、
を備えたことを特徴とする追悼ビデオ作成装置。
【請求項４】
画像音楽編集プログラムに従って装置全体を制御する制御手段と、
画像データ、音楽データ及び音声データを入力するための入力手段と、
前記制御手段によりアクセスされ、請求項１記載の葬儀用ナレーションのシナリオ作成装置により作成されたシナリオワークシートのデータを格納するシナリオワークシート格納領域と、
前記シナリオワークシート格納領域に格納されたシナリオワークシートのデータを表示するディスプレイと、
前記制御手段によりアクセスされ、前記入力手段により入力された複数の画像データを、前記シナリオワークシート中の画像番号フィールドの画像番号に対応させて格納し、前記入力手段により入力された音楽データを、前記シナリオワークシートのナレーションに対応させて格納し、かつ、前記ディスプレイに表示されたシナリオワークシートのデータに従って発せられた音声によるナレーションデータを前記入力手段により入力して格納するビデオデータ格納領域と、
前記ビデオデータ格納領域に格納された画像データ、音楽データ及びナレーションデータを追悼ビデオデータとして外部に出力する出力手段と、
を備えたことを特徴とする追悼ビデオ作成装置。
【請求項５】
前記出力手段は、前記追悼ビデオデータを追悼ビデオディスクに格納した形で出力することを特徴とする請求項３又は４記載の追悼ビデオ作成装置。
【請求項６】
葬儀用ホールに設置され、請求項３又は５に記載された出力手段から出力された追悼ビデオデータを大画面で映像表示すると共にスピーカから音声出力する装置と、
請求項１又は２に記載された葬儀用ナレーションのシナリオ作成装置により作成されたシナリオデータに従い音声によるナレーションを入力し、このナレーションを前記スピーカから出力させる装置と、
を備えたことを特徴とする葬儀演出システム。
【請求項７】
葬儀用ホールに設置され、請求項４又は５に記載された出力手段から出力された追悼ビデオデータを大画面で映像表示すると共にスピーカから音声出力する装置を備えたことを特徴とする葬儀演出システム。
【発明の詳細な説明】
【０００１】
【発明の属する技術分野】
【０００２】
本発明は、セレモニーホール等で行われる葬儀において、司会者等による故人の紹介の際に使用されるナレーション用のシナリオ（台本）を作成するためのシ　ナリオ作成装置と、作成されたシナリオを用いて画像や、バックグラウンドミュージック（以下「ＢＧＭ」という。）等の音楽、あるいは音声によるナレーションを格納した追悼用ビデオを作成するための追悼ビデオ作成装置と、作成された追悼用ビデオを再生して葬儀の演出を行う葬儀演出システムとに関するものである。
【０００３】
【従来の技術】
【０００４】
従来、葬儀方法等に関する技術としては、例えば、次のような文献に記載されるものがあった。
文献１：特許第２７５４３５３号公報
文献２：特許第２９１２５９７号公報
文献３：特開２０００−２３７０１７号公報
文献１には、葬儀方法及び葬儀用祭壇装置の技術が記載されている。この葬儀方法及び葬儀用祭壇装置では、棺の背部に祭壇表示用のスクリーンが配置され、このスクリーンの前方又は後方に、第１及び第２の映像装置が配置されている。第１の映像装置により、スクリーンに故人情報表示フレームを有する祭壇像が投影され、第２の映像装置により、前記スクリーンに投影された故人情報表示フレームに故人情報（即ち、故人の過去の記録）が投影される。
【０００５】
又、文献１には、故人情報表示フレームを有する祭壇表示用スクリーンと、このスクリーンに祭壇像を表示させる映像装置と、前記故人情報表示フレームに配置され、故人の過去の記録を表示する液晶、プラズマディスプレイ、ブラウン管等のディスプレイ装置とを有する葬儀用祭壇装置の技術も記載されている。
【０００６】
文献２には、葬儀方法の技術が記載されている。この葬儀方法では、葬儀の祭壇に設置されたスクリーンと、故人の遺影を前記スクリーンに映写するスライド映写装置と、故人の生前の活動を撮影したビデオ画像を前記スクリーン上に映写するビデオ映写装置と、前記スライド映写装置と前記ビデオ映写装置とによる映写を葬儀の進行に合わせて切り替える切替手段と、を備えた葬儀用映像装置を使用する。
【０００７】
そして、葬儀の開始のときには、切替手段を操作してスライド映写装置からスクリーンに故人の遺影を映写する。弔辞のときには、切替手段を操作し、ビデオ映写装置又はスライド映写装置を適宜切り替えて選択し、スクリーンに故人の生前活動を撮影したビデオ画面又はスライド画面を択一的に映写する。葬儀の終了のときには、切替手段を操作し、スライド映写装置からスクリーンに故人の遺影を映写する。
【０００８】
文献３には、液晶パネル内蔵額縁による画像展示システムの技術が記載されている。この画像展示システムでは、液晶表示装置を葬儀に使用する遺影展示用の額縁に嵌め込み、映像信号供給装置から液晶表示装置に画像信号を供給して遺影や写真の映像を表示させるようになっている。
【０００９】
【発明が解決しようとする課題】
【００１０】
しかしながら、従来の葬儀方法では、次のような課題があった。
【００１１】
人が亡くなると、短期間（例えば、２、３日）で葬儀告別式が執り行われる。一般的には、人生の中で故人や故人の血縁に当たる有縁の方々が集まり、焼香をしてお別れをすることになる。その場合、縁のあった方々の中でも、故人の人生の大部分でつき合いがあった方は、大変少ないのが実態であり、幼少期に出会いがあった方、青壮期、老齢期等に少し知り合った等、様々である。つき合いも永かった方、短かった方、深かった方、浅かった方等、千差万別である。
【００１２】
故人が生き方の軸足や活動の基本をどこに置いてきたのか、夫婦愛や、家族愛はどうだったのか、勤め先や地域社会との係わり合いはどうだったのか、家族であっても分からないことが多い。男性の場合、社歴のある方や社会的な地位にあった方は弔辞等で一部披露されるから一面的には分かるものであるが、それでも故人の人柄は充分分かっているということは少ない。特に女性の場合、家の中にいて家を守り、子供を産み、育て、しつけをして教育する等、大変重要な役割を持っているにもかかわらず、それらがあまり外側にでてこないために、殆ど知られていないのが実態である。
【００１３】
ところが、従来の葬儀方法では、生前の活動等をスクリーン等に映写できるものの、これを解説するためのナレーションがないか、あっても葬儀司会者等によって極簡単に紹介される程度である。故人の尊い生涯を綴ったシナリオがあれば、葬儀司会者等により、遺族や親族はもとより、多くの会葬者に感銘を与える内容のナレーションを行うことも可能であるが、亡くなってから葬儀告別式までの短期間の間に、充分な内容のシナリオを作成することは困難であった。
【００１４】
本発明は、前記従来技術が持っていた課題を解決し、故人の尊い生涯を綴ったシナリオを短時間で作成できる葬儀用ナレーションのシナリオ作成装置を提供すると共に、作成されたシナリオを用いて画像及び音楽等を編集した追悼ビデオを作成するための追悼ビデオ作成装置、更に、作成された追悼ビデオを葬儀の場で再生する葬儀演出システムを提供することを目的とする。
【００１５】
【課題を解決するための手段】
【００１６】
前記課題を解決するために、本発明の内の請求項１に係る発明では、葬儀用ナレーションのシナリオ作成装置において、表計算ソフトウェアを用いて作成されたナレーションプログラムに従って装置全体を制御する制御手段と、データを入力するための入力手段と、前記制御手段によりそれぞれアクセスされる入力ワークシート格納領域、シナリオワークシート格納領域、データベース格納領域、及び法要日程格納領域と、前記シナリオワークシート格納領域に格納されたシナリオワークシートのデータ及びその他のデータを外部に出力する出力手段と、を備えている。
【００１７】
前記入力ワークシート格納領域は、故人を特定するデータを入力するための故人特定フィールドと、故人の死亡年月日を入力するための死亡年月日フィールドと、宗派を入力するための宗旨フィールドと、その他のデータを入力するための入力フィールドとを有している。
【００１８】
前記シナリオワークシート格納領域は、書換可能な定例文が入力された定例文フィールドと、前記故人特定フィールド及び前記入力フィールドにリンクしていてこれらのフィールドに入力されたデータが編集されて作成された文章が入力される第１の編集文フィールドと、前記故人特定フィールド及び前記入力フィールドにリンクしていてこれらのフィールドに入力されたデータに基づき史実格納領域から読み出された歴史的な出来事が貼り付けられて入力される第１の貼付フィールドと、前記故人特定フィールド、前記死亡年月日フィールド、及び前記入力フィールドにリンクしていてこれらのフィールドに入力されたデータがコピーされて入力されるコピーフィールドと、前記死亡年月日フィールドにリンクしていてこのフィールドに入力されたデータが編集されて作成された文章が入力される第２の編集文フィールドと、前記宗旨フィールドにリンクしていてこのフィールドに入力されたデータに基づき宗旨格納領域から読み出された宗旨に関する定例文が貼り付けられて入力される第２の貼付フィールドと、ディスプレイに表示するための複数の画像の画像番号が表示順に入力される画像番号フィールドとが、それぞれ時系列的に配置された１月分〜１２月分のシナリオワークシートのデータを格納する領域である。
【００１９】
前記データベース格納領域は、前記第１、第２の編集文フィールド、前記第１の貼付フィールド、前記コピーフィールド、及び前記第２の貼付フィールドの全部又は主要部分とリンクしていてこれらのフィールドデータに基づき生成されたデータベースを格納する領域である。
【００２０】
前記法要日程格納領域は、前記データベースにリンクしていてこのデータベースに基づき生成された法要日程管理データを格納する領域である。
【００２１】
請求項１に係る発明では、このような構成を採用したことにより、ナレーションプログラムに従い、入力手段により、入力ワークシート中の所定のフィールドにデータを入力すれば、この入力ワークシートとリンクしているシナリオワークシート中の所定のフィールドに、データが転送されて入力される。シナリオワークシートにデータが入力されると、この入力データに基づいてデータベースが作成され、更に、このデータベースに基づいて法要日程管理データが作成される。
【００２２】
請求項２に係る発明では、請求項１の葬儀用ナレーションのシナリオ作成装置において、前記出力手段は、前記シナリオワークシートのデータを印刷して出力する。
【００２３】
請求項３に係る発明では、追悼ビデオ作成装置において、画像音楽編集プログラムに従って装置全体を制御する制御手段と、画像データ及び音楽データを入力するための入力手段と、前記制御手段によりアクセスされ、請求項１の葬儀用ナレーションのシナリオ作成装置により作成されたシナリオワークシートのデータを格納するシナリオワークシート格納領域と、前記制御手段によりアクセスされ、前記入力手段により入力された複数の画像データを、前記シナリオワークシート中の画像番号フィールドの画像番号に対応させて格納すると共に、前記入力手段により入力された音楽データを、前記シナリオワークシートのナレーションに対応させて格納するビデオデータ格納領域と、前記ビデオデータ格納領域に格納された画像データ及び音楽データを追悼ビデオデータとして外部に出力する出力手段と、を備えている。
【００２４】
請求項３に係る発明では、このような構成を採用したことにより、画像音楽編集プログラムに従い、入力手段により、画像データ及び音楽データを入力すれば、この画像データ及び音楽データが、シナリオワークシートのナレーションに対応して編集され、追悼ビデオが作成される。
【００２５】
請求項４に係る発明では、追悼ビデオ作成装置において、画像音楽編集プログラムに従って装置全体を制御する制御手段と、画像データ、音楽データ及び音声データを入力するための入力手段と、前記制御手段によりアクセスされ、請求項１の葬儀用ナレーションのシナリオ作成装置により作成されたシナリオワークシートのデータを格納するシナリオワークシート格納領域と、前記シナリオワークシート格納領域に格納されたシナリオワークシートのデータを表示するディスプレイと、前記制御手段によりアクセスされ、前記入力手段により入力された複数の画像データを、前記シナリオワークシート中の画像番号フィールドの画像番号に対応させて格納し、前記入力手段により入力された音楽データを、前記シナリオワークシートのナレーションに対応させて格納し、かつ、前記ディスプレイに表示されたシナリオワークシートのデータに従って発せられた音声によるナレーションデータを前記入力手段により入力して格納するビデオデータ格納領域と、前記ビデオデータ格納領域に格納された画像データ、音楽データ及びナレーションデータを追悼ビデオデータとして外部に出力する出力手段と、を備えている。
【００２６】
請求項４に係る発明では、このような構成を採用したことにより、画像音楽編集プログラムに従い、入力手段により、画像データ、音楽データ、及び音声によるナレーションを入力すれば、この画像データ、音楽データ及びナレーションが編集され、ナレーション付きの追悼ビデオが作成される。
【００２７】
請求項５に係る発明では、請求項３又は４の追悼ビデオ作成装置において、前記出力手段は、前記追悼ビデオデータを追悼ビデオディスクに格納した形で出力する。
【００２８】
請求項６に係る発明では、葬儀演出システムにおいて、葬儀用ホールに設置され、請求項３又は５の出力手段から出力された追悼ビデオデータを大画面で映像表示すると共にスピーカから音声出力する装置と、請求項１又は２の葬儀用ナレーションのシナリオ作成装置により作成されたシナリオデータに従い音声によるナレーションを入力し、このナレーションを前記スピーカから出力させる装置と、を備えている。
【００２９】
請求項６に係る発明では、このような構成を採用したことにより、追悼ビデオを再生すれば、録画された画像が大画面で映像表示されると共に、録音された音楽がスピーカから出力される。シナリオを見ながら朗読すれば、このナレーションがスピーカから出力される。
【００３０】
請求項７に係る発明では、葬儀演出システムにおいて、葬儀用ホールに設置され、請求項４又は５の出力手段から出力された追悼ビデオデータを大画面で映像表示すると共にスピーカから音声出力する装置を備えている。
【００３１】
請求項７に係る発明では、このような構成を採用したことにより、追悼ビデオを再生すれば、録画された画像が大画面で映像表示されると共に、録音された音楽とナレーションがスピーカから出力される。
【００３２】
【発明の実施の形態】
【００３３】
［葬儀用ナレーションのシナリオ作成装置］
【００３４】
（構成）
【００３５】
図１は、本発明の実施形態を示す葬儀用ナレーションのシナリオ作成装置の概略の構成図である。
【００３６】
この葬儀用ナレーションのシナリオ作成装置は、パーソナルコンピュータ（以下「パソコン」という。）等で構成され、バス１を有している。バス１には、制御手段（例えば、中央処理装置、以下「ＣＰＵ」という。）２、プログラム格納用の読み出し専用メモリ（以下「ＲＯＭ」という。）３、ワーキングデータ等を一時格納するための随時読み書き可能なメモリ（以下「ＲＡＭ」という。）４、ハードディスク（以下「ＨＤＤ」という。）等の大容量の内部記憶装置１０、データ入力手段（例えば、キーボード２１、マウス２２等）、データ出力手段（例えば、出力ポート２５、ＣＲＴや液晶表示装置等のディスプレイ２６、印刷用のプリンタ２７等）、及び外部記憶装置（例えば、フロッピディスク（ＦＤ）等の磁気ディスク３１、ＣＤ−ＲＷ、ＤＶＤ等の光ディスク３２等）が、直接又は入／出力インタフェース（以下「Ｉ／Ｏインタフェース」という。）を介して、接続されている。
【００３７】
ＣＰＵ２は、表計算ソフトウェアを用いて作成されたナレーションプログラムに従って装置全体を制御する制御手段である。表計算ソフトウェアとしては、例えば、パソコンの標準的なオペレーションシステム（以下「ＯＳ」という。）であるマイクロソフト社製の「Ｗｉｎｄｏｗｓ」をＯＳとする、パソコン用の表計算ソフトウェアであるマイクロソフト社製のアプリケーションソフトウェア「Ｅｘｃｅｌ」等があり、このマクロ（ｍａｃｒｏ）プログラム等を用いてナレーションプログラムが作成される。表計算ソフトウェアのデータは、例えば、縦・横マトリクス状に配列されたセル群で表示されている。セル群には、左上を基準にして、縦方向に１、２、３、・・・といった行番号、横方向にＡ、Ｂ、Ｃ、・・・といった列番号が割り当てられ、各セルに３Ａ、７Ｅ等の番号が付加されている。
【００３８】
内部記憶装置１０は、ＣＰＵ２によりアクセスされる記憶手段であり、例えば、ナレーションプログラムをフォルダの形で格納するナレーションプログラム格納領域１１等を有している。ナレーションプログラム格納領域１１内には、入力ワークシートのデータを格納する入力ワークシート格納領域１１ａ、１月分〜１２月分のシナリオワークシートのデータを格納するシナリオワークシート格納領域１１ｂ、データベースを格納するデータベース格納領域１１ｃ、法要日程管理データを格納する法要日程格納領域１１ｄ、宗旨に関する定例文のデータを格納する宗旨格納領域１１ｅ、歴史的な出来事（史実）のデータを格納する史実格納領域１１ｆ、及び接続文のデータを格納する接続文格納領域１１ｇ等も設けられている。
【００３９】
（シナリオ作成方法）
【００４０】
図２は図１のシナリオ作成装置を用いたシナリオ作成手順を示す図、図３は図２中のトップ画面の例を示す図、図４は図２中の「故人の生涯記録１」の入力ワークシートの例を示す図、図５は図２中の「故人の生涯記録２」の入力ワークシートの例を示す図、図６（Ａ）、（Ｂ）は図２中のデータベースの例を示す図、図７は図２中のシナリオ作成処理の例を示すフローチャート、図８は図１中の宗旨格納領域１１ｅに格納された宗旨に関する定例文の例を示す図、図９は図１中の史実格納領域１１ｆに格納された歴史的な出来事の例を示す図、図１０は図７中の入力ワークシートの印刷例を示す図、図１１は図７中のシナリオワークシートの例を示す図、図１２は図１中の接続文格納領域１１ｇに格納された接続文の例を示す図、及び図１３（Ａ）、（Ｂ）、（Ｃ）は図１中の法要日程格納領域１１ｄに格納された法要日程管理データの例を示す図である。
【００４１】
以下、これらの図面を参照しつつ、シナリオ作成方法の一例を説明する。
【００４２】
表計算ソフトウェアを用いて作成されたナレーションプログラムが格納されている光ディスク３２等を、図１のシナリオ作成装置にセットし、そのナレーションプログラムを内部記憶装置１０内のナレーションプログラム格納領域１１にダウンロード（格納）する。
【００４３】
図２のステップＳ１において、マウス２２をクリックする等してナレーションプログラム格納領域１１のフォルダを開き、ナレーションソフトのワークシートをクリック等する。ナレーションプログラム格納領域１１に格納されたナレーションプログラムに従い、ＣＰＵ２の制御により、ステップＳ２において、ディスプレイ２６上に、図３のようなナレーションソフトのメニュー画面（即ち、トップ画面）４０が表示される。
【００４４】
トップ画面４０には、例えば、天寿を全うされた方用の「故人の生涯記録１」ボタン４１、若くして亡くなられた方用の「故人の生涯記録２」ボタン４２、「データベース」ボタン４３、「操作手順」ボタン４４、及び「ナレーションソフト終了」ボタン４５等が設けられ、これらを図２のステップＳ３で選択できるようになっている。
【００４５】
例えば、ステップＳ４において、「故人の生涯記録１」ボタンＳ４をマウス２２でクリックして選択すると、ＣＰＵ２の制御により、入力ワークシート格納領域１１ａ内の図４のような入力ワークシート５０Ａが読み出され、ディスプレイ２２に表示される。同様に、ステップＳ５で、「故人の生涯記録２」ボタン４２をクリックすると、入力ワークシート格納領域１１ａ内の図５のような入力ワークシート５０Ｂが読み出されてディスプレイ２６に表示される。ステップＳ６で、「操作手順」ボタン４４をクリックすると、予めナレーションプログラム格納領域１１内に格納された操作手順の説明文が読み出されてディスプレイ２６に表示される。ステップＳ７で、「データベース」ボタン４３をクリックすると、データベース格納領域１１ｃ内の図６のようなデータベースが読み出されてディスプレイ２６に表示される。
【００４６】
ステップＳ４の後、ステップＳ８において、図７のフローチャートに従い、シナリオ作成処理が行われる。ステップＳ５の後、「ステップＳ９において、ステップＳ８とほぼ同様のシナリオ作成処理が行われる。ステップＳ７の後、ステップＳ１０において、データベース画面中の図示しない「法要画面へ移動」ボタンをクリックすると、図１３のような法要日程管理データ７１がディスプレイ２６に表示される。
【００４７】
ステップＳ６の操作手順から、ステップＳ８又はステップＳ９のシナリオ作成処理へ任意に移動したり、あるいはステップＳ８又はＳ９からステップＳ７のデータベース画面へ任意に移動できるようになっている。
【００４８】
図３の「ナレーションソフト終了」ボタン４５をクリックすると、ＣＰＵ２の制御により、図２のナレーションプログラムが終了する。
【００４９】
例えば、ステップＳ８のシナリオ作成処理では、図７のフローチャートに従い、以下のような処理が行われる。
【００５０】
図４の入力ワークシート５０Ａは、セルが縦・横マトリクス状に配列された表計算ソフトウェア用のシートであり、ページ区切りを表す縦方向（列方向）の破線の左側が１頁目、右側が２頁目である。
【００５１】
１頁目の左上に、複数のセルからなる「トップ画面へ戻る」ボタン５１が配置されている。ボタン５１の下の行には、複数行×複数列のセル群からなる告別式実施月（１月〜１２月分）の選択ボタン５２が配置されている。選択ボタン５２の下の行には、１行又は複数行からなる多数（例えば、２４個）のデータ入力用の入力フィールド５３（５３−１〜５３−２４）が配置されている。
【００５２】
入力フィールド５３−１〜５３−２４は、故人を特定するデータを入力するための故人特定フィールド（５３−１〜５３−３，５３−５）と、故人の死亡年月日を入力するための「死亡年月日」フィールド５３−４と、宗派を入力するための「宗旨」フィールド５３−６と、その他のデータを入力するための入力フィールド（５３−７〜５３−２４）とで構成されている。
【００５３】
入力フィールド５３−１〜５３−２４の内、実線の矩形の枠で囲まれたフィールドは、キーボード２１からデータを入力するフィールドである。破線の矩形の枠で囲まれたフィールドは、画面上に表示される複数セルからなるシート内から、所望のデータを選択して入力するフィールドである。一点鎖線の矩形の枠で囲まれたフィールドは、予め所定の関数式が埋め込まれていて、この関数式に基づき自動的にデータが入力されるフィールドである。二点鎖線の矩形の枠で囲まれたフィールドは、入力をするか否かは任意であり、必要に応じてキーボード２１からデータを入力するフィールドである。
【００５４】
２頁目の上の行には、簡単な操作手順が表示されると共に、「印刷」ボタン５４、「データ転送」ボタン５５、及び入力内容を全て消去するための「入力内容オールクリヤ」ボタン５６が設けられている。下の行には、「冒頭行へ戻る」ボタン５７が設けられている。
【００５５】
図７のステップＳ２０で、シナリオ作成処理が開始されると、ステップＳ２１で、図４のような入力ワークシート５０Ａがディスプレイ２６に表示され、次のステップＳ２２で、フィールド５３−１〜５３−２４への入力処理が行われる。
【００５６】
例えば、マウス２２を操作して画面上のポインタ（矢印）を「ふり仮名」フィールド５３−１へ移動し、マウス２２の左ボタンをクリックして、データ入力位置やコマンド実行位置を示すセルカーソルを、「ふり仮名」フィールド５３−１へ移動させる。これにより、「ふり仮名」フィールド５３−１へのデータ入力が可能になるので、キーボード２１によって故人の氏名のふり仮名を入力する。セルカーソルを「氏名」フィールド５３−２へ移動し、キーボード２１で故人の氏名を漢字で入力する。
【００５７】
セルカーソルを「生年月日」フィールド５３−３へ移動すれば、読み出しボタンが画面上に表示される。この読み出しボタンをクリックすれば、予め登録された年号・生年月日が記載されたシートが開いて画面上に表示される。このシート内から所望の年号・生年月日をクリックして選択すれば、選択した年号・生年月日が「生年月日」フィールド５３−３に入力される。「生年月日」フィールド５３−３の末列のフィールドには、予め埋め込まれた関数式により、満年齢が自動的に計算されて入力される。
【００５８】
「死亡年月日」フィールド５３−４へセルカーソルを移動し、画面上に表示される読み出しボタンをクリックすれば、予め登録された死亡年月日が記載されたシートが開く。このシート内から所望の死亡年月日・死亡時間をクリックして選択すれば、選択した死亡年月日と死亡時間が「死亡年月日」フィールド５３−４に入力される。
【００５９】
「出生地」フィールド５３−５へセルカーソルを移動し、画面上に表示される読み出しボタンをクリックすれば、予め登録された出生地が記載されたシートが開く。このシート内から、故人の生まれた都道府県名と市町村名を選択する。シート内に該当する地名が無ければ、キーボード２１で地名を入力すればよい。更に、父・母のふり仮名と漢字の氏名をキーボード２１で入力すると共に、兄弟の人数と続柄を画面上のシート内から選択して入力する。
【００６０】
「宗旨」フィールド５３−６へセルカーソルを移動し、画面上に表示される読み出しボタンをクリックすれば、予め登録された図８のような宗派名が記載されたシートが開く。このシート内から所望の宗派を選択すれば、故人の宗派名が「宗旨」フィールド５３−６に入力される。
【００６１】
以下同様に、「少年（少女）時代のお人柄」フィールド５３−７に、故人の人柄をシートから選択して入力する。「青少年（少女）時代の思い出・出来事」フィールド５３−８に、思い出や出来事をキーボード２１から文字入力する。文字入力の条件は、例えば、最大で２００文字程度で、入力時に改行をしない。
【００６２】
「故人の結婚記念日」フィールド５３−９に、結婚記念日をシートから選択して入力する。更に、配偶者の氏名とふり仮名をキーボード２１から入力する。又、配偶者が既に死亡している場合には、死亡年月日をシートから選択して入力する。
【００６３】
「結婚当時のご様子・思い出・出来事」フィールド５３−１０に、これらの内容をキーボード２１から入力する。「お二人の間のお子様」フィールド５３−１１に、お二人の間のお子様を男女別にシートから選択して入力する。「子育てやご活躍・生活のご様子など」フィールド５３−１２に、これらの内容をキーボード２１から文字入力する。文字入力の条件は、例えば、最大で２００文字程度で、入力時に改行をしない。
【００６４】
「生前好まれた歌手」フィールド５３−１３、「生前よく歌われた歌」フィールド５３−１４、「好きな作家」フィールド５３−１５、「好きな本」フィールド５３−１６、「生前よくやったスポーツ」フィールド５３−１７、「見るスポーツで好きなもの」フィールド５３−１８、「趣味」フィールド５３−１９、「生前好きだった花」フィールド５３−２０、「職歴」フィールド５３−２１、及び「受賞履歴」フィールド５３−２２に対して、任意に入力する。この内、フィールド５３−１３〜５３−１６，５３−１９〜５３−２２は、キーボード２１から文字入力し、フィールド５３−１７，５３−１８は、シートから選択して入力する。
【００６５】
「晩年のご生活・ご様子」フィールド５３−２３に、これらの内容をキーボード２１から文字入力する。文字入力の条件は、例えば、最大で２００文字程度で、入力時に改行をしない。
【００６６】
入力フィールドの最後の「ご臨終に際し」フィールド５３−２４へ、セルカーソルを移動し、画面上に表示される読み出しボタンをクリックすれば、予め登録された文章が記載されたシートが開く。このシート内から所望の文章、例えば、「故人も、多くの皆様からお見舞いを頂き、大変感謝をいたしておりました。」を選択して入力する。
【００６７】
入力フィールド５３−１〜５３−２４への入力後、「冒頭行へ戻る」ボタン５７をクリックすれば、セルカーソルが冒頭の位置へ戻り、図７のステップＳ２３へ進む。
【００６８】
図７のステップＳ２３では、シナリオワークシート格納領域１１ｂに格納された１月分〜１２月分の各シナリオワークシート６０に対し、入力ワークシート５０Ａのデータが転送されて入力等が行われる。
【００６９】
例えば、図１１に示す７月分のシナリオワークシート６０は、セルが縦・横マトリクス状に配列された表計算ソフトウェア用のシートであり、破線の矩形で囲まれた複数の定例文フィールド６１−１〜６１−７が、列方向に時系列的に配置されている。各定例文フィールド６１−１〜６１−７は、複数行×複数列のセル群からなり、これらには季節（７月）に適した書換可能なナレーション用の定例文のデータが予め入力されている。定例文フィールド６１−１〜６１−７間には、複数行×複数列のセル群からなる複数の貼付フィールド６２−１〜６２−４、編集文フィールド６３−１〜６３−４、コピーフィールド６４−１，６４−２、　及び接続文フィールド６５−１が列方向に時系列的に配置されている。
【００７０】
上の行の定例文フィールド６１−１の下の第２の貼付フィールド６２−１は、図４中の宗旨フィールド５３−６とリンクしていて、このフィールド５３−６に入力されたデータ（例えば、「浄土宗」）に基づき、ＣＰＵ２の制御により、宗旨格納領域１１ｅから読み出された図８のような宗旨に関する定例文（例えば、「お浄土の世界にお帰りになられました。」）が貼り付けられて入力されるフィールドである。
【００７１】
即ち、シナリオワークシート６０の貼付フィールド６２−１（このセルの列行位置Ｃ１３）には、関数［＝ＶＬＯＯＫＵＰ（入力ワークシート５０Ａ！＄Ｋ＄１６，宗旨！＄Ｂ＄３：＄Ｄ＄１４，３，ＦＡＬＳＥ）］が埋め込まれている。ＶＬＯＯＫＵＰとは、検索したい値を範囲指定した表の左端の値と比較して、該当する行の指定した列位置にあるデータを返す関数である。つまり、入力ワークシート５０Ａの「宗旨」フィールド５３−６（このセルの列行位置Ｋ１６）に入力した「浄土宗」が検索対象値となり、宗旨格納領域１１ｅを開くと（即ち、図８のようなシート「宗旨」を開くと）、左端の列に宗旨が登録され、それぞれの行に対応する言葉が登録されている。範囲とは、前記の関数で「宗旨！＄Ｂ＄３：＄Ｄ＄１４，３」の部分がこれに相当する。この関数で、最後の「・・・３」の意味は、左端の３列目の値を返すことである。このようなリンク構造により、「浄土宗」という検索対象値に対して、同行の３列目の「お浄土の世界にお帰りになられました。」という言葉が返されることになる。
【００７２】
末行に位置する他の第２の貼付フィールド６２−４も、同様の機能を有するフィールドである。
【００７３】
定例文フィールド６１−２の下の第１の編集文フィールド６３−１は、図４中の故人特定フィールド（５３−１〜５３−３，５３−５）及びその他の入力フィールド（５３−７〜５３−２４）にリンクしていて、これらのフィールドに入力されたデータ（例えば、氏名「特許太郎」、ふり仮名「とっきょたろう」）が、ＣＰＵ２の制御により編集されて作成された文章（例えば、「故、特許太郎（とっきょたろう）さまが」）が、入力されるフィールドである。下の行に位置する他の第１の編集文フィールド６３−２，６３−４も同様の機能を有するフィールドである。
【００７４】
例えば、編集文フィールド６３−２において、セル列行位置Ｃ３１の文章「栃木県矢板市に」のリンク構造及び編集方法は、次のようになっている。
【００７５】
図４の入力ワークシート５０Ａ中の「出生地」フィールド５３−５において、「栃木県」及び「矢板市」と選択すると、シナリオワークシート６０のセル列行位置Ｃ３１に「栃木県矢板市に」と出力される。即ち、入力ワークシート５０Ａの「出生地」フィールド５３−５（セルＤ１５とセルＥ１５に相当）を、シナリオワークシート６０の所定のセルＣ３１に貼り付ける。この場合、“＝入力ワークシート５０Ａ！Ｄ１５＆入力ワークシート５０！Ｅ１５＆”に””と貼り付けることで、「栃木県矢板市に」という繋がりのある文章が貼り付けられる。
【００７６】
定例文フィールド６１−３の下の接続文フィールド６５−１は、後のステップにおいて、接続文の入力処理が行われるフィールドである。
【００７７】
定例文フィールド６１−５の下の第１の貼付フィールド６２−３は、図４中の故人特定フィールド（５３−１〜５３−３，５３−５）及びその他の入力フィールド（５３−７〜５３−２４）にリンクしていて、これらのフィールドに入力されたデータ（例えば、故人の「生年月日」）に基づき、ＣＰＵ２の制御により、史実格納領域１１ｆから読み出された図９のような歴史的な出来事（例えば、「明治天皇がお亡くなりになられた年であり、」）が貼り付けられて、入力されるフィールドである。定例文フィールド６１−５の下の他の第１の貼付フィールド６２−３も、同様の機能を有するフィールドである。
【００７８】
貼付フィールド６２−３の下のコピーフィールド６４−１は、図４中の故人特定フィールド（５３−１〜５３−３，５３−５）、「死亡年月日」フィールド５３−４、及びその他の入力フィールド（５３−７〜５３−２４）とリンクしていて、このフィールドに入力されたデータ（例えば、「平成１４年７月３日午前３時３分」）がコピー（複写）されて入力されるフィールドである。定例文フィールド６１−７の下の他のコピーフィールド６４−２も、同様の機能を有するフィールドである。
【００７９】
定例文フィールド６１−１〜６１−７の内容は、変更可能である。その他のフィールド６２−１〜６２−４，６３−１〜６３−４，６４−１，６４−２は、入力ワークシート５０Ａのセルとリンクしているため、内容を変更する場合、その入力ワークシート５０Ａ上で変更する必要がある。
【００８０】
入力ワークシート６０の左端列の複数行のセル群には、画像番号フィールド６５が設けられている。この画像番号フィールド６５は、ディスプレイに表示するための複数の画像（例えば、映像、史料、写真等）の画像番号を表示順に入力するための（即ち、インデックスを付けるための）フィールドである。画像番号のインデックスを付けるか否かは任意であるが、インデックスを付けるときには、画像番号フィールド６５中の所望のセルへ、セルカーソルを移動し、画像番号を選択して入力する。
【００８１】
図７のステップＳ２３では、シナリオワークシート格納領域１１ｂに格納された他の月（１月〜６月、８月〜１２月）のシナリオワークシート６０，・・・に　対しても、入力ワークシート５０Ａのデータが転送されて入力等が行われる。このステップＳ２３と同時に、又は後に、ステップＳ２４の印刷処理へ進む。
【００８２】
ステップＳ２４の印刷処理では、入力ワークシート５０Ａの入力内容を確認し、誤りがあれば訂正する。印刷物が必要であれば、ステップＳ２５において、入力ワークシート５０Ａの２頁目の「印刷」ボタン５４をマウス２２でクリックすれば、ＣＰＵ２の制御によってプリンタ２７で、入力済の図１０のような入力ワークシートが印刷される。
【００８３】
印刷不要の場合、あるいは印刷終了後、図７のステップＳ２６へ進み、入力ワークシート５０Ａの記録内容を、データベース格納領域１１ｃへ転送するか否かの選択を行う。記録内容を転送する場合、入力ワークシート５０Ａの２頁目の「データ転送」ボタン５５をマウス２２でクリックすれば、ステップＳ２７へ進む。ステップＳ２７では、ＣＰＵ２の制御により、入力ワークシート５０Ａの記録内容がデータベース格納領域１１ｃへ転送され、図６（Ａ）、（Ｂ）のようなデータベース７０が作成される。
【００８４】
データベース７０は、例えば、セルが縦・横マトリクス状に配列された表計算ソフトウェア用の複数枚のシートにデータを格納したものであり、図６（Ａ）に示すように、データ転送順（受付順）に行方向のセル群に、図１０に対応する入力フィールド名のデータが格納されている。更に、このデータベース７０には、図６（Ｂ）に示すように、行方向のセル群に、複数の法要日程フィールドが設けられている。各法要日程フィールドには、死亡年月日から法要年月日（例えば、初七日、三十五日、四十九日、・・・）を算出する関数が埋め込まれており、「死亡年月日」フィールドに死亡年月日が入力されると、この死亡年月日に基づいて法要年月日が自動的に算出されるようになっている。
【００８５】
そのため、ステップＳ２７で「データ転送」ボタン５５をクリックすると、入力ワークシート５０Ａのデータが、データベース７０の所定のフィールド（即ち、セル）に順序よく転送される。このデータ転送は、次のような仕組みになっている。
【００８６】
例えば、データベース７０の行２の各セルに、入力ワークシート５０Ａから転送したいセルが貼り付けてある。そのため、ＣＰＵ２の制御により、入力ワークシート５０Ａに入力された文章が、データベース７０の行２の各セルにも入力される。行２に入力された文章をデータベース７０の表に順番に転送させるためには、空欄を探してそこに当てはめる必要がある。そこで、データベース７０の表を最下行から追っていき、既に文章が入力されているセルの直ぐ下のセル（空欄のセル）に入力セルを合わせて、そこに文章を転送させるという一連の操作を、自動的に実行させるマクロプログラムを組んだことにより、順序よく転送され続けてデータベース７０が完成されていく。
【００８７】
データベース７０が作成されると、ＣＰＵ２の制御により、法要日程データが法要日程格納領域１１ｄへ転送され、図１３（Ａ）、（Ｂ）、（Ｃ）のような法要日程管理データ７１が作成される。
【００８８】
法要日程管理データ７１は、例えば、セルが縦・横マトリクス状に配列された表計算ソフトウェア用の複数枚のシートにデータを格納したものであり、図１３（Ａ）、（Ｂ）、（Ｃ）に示すように、データ転送順（受付順）に行方向のセル群に、図６に対応する法要日程のデータが格納されている。
【００８９】
図７のステップＳ２７の処理の後、あるいはステップＳ２６でデータ転送不要の場合、ステップＳ２８へ進み、図４の入力ワークシート５０Ａの画面に戻り、ステップＳ２９へ進む。ステップＳ２９において、入力ワークシート５０Ａの告別式実施月の選択ボタン５２をマウス２２でクリックし、告別式実施月（例えば、７月）を選択する。すると、ステップＳ２３においてシナリオワークシート格納領域１１ｂに格納された図１１のような７月分のシナリオワークシート６０が、ステップＳ３０でディスプレイ２６に表示され、ステップＳ３１へ進む。
【００９０】
ステップＳ３１において、接続文を入力するか否かを選択する。図１１の７月分のシナリオワークシート６０中には、接続文フィールド６５−１が存在するので、ステップＳ３２の接続文挿入処理へ進む。ステップＳ３２において、接続文フィールド６５−１へセルカーソルを移動し、画面上に表示される読み出しボタンをクリックすれば、接続文格納領域１１ｇに登録された接続文の例が画面上に表示される。この接続文の例から所望の文章、例えば、「そのご生涯を振り返りますときに、・・・聞こえてくるようでございます。」を選択して入力する。
【００９１】
適切な文例がない場合は、接続文フィールド６５−１の右側に設けられた図示しない登録ボタンをクリックする。すると、接続文格納領域１１ｇに格納された図１２のような登録画面（この画面には前記の登録された接続文の例が記載されている。）が表示されるので、この登録画面内の空欄のセルに所望の文章をキーボード２１で入力すれば、この文章が登録される。セルの数には制限があるので、登録できる文章は、例えば、最大４８文例までである。文章登録後、図１２の登録画面に設けられた図示しない「７月分シナリオワークシート画面に戻る」ボタンをクリックすると、７月分のシナリオワークシート６０の画面が表示される。そこで、接続文フィールド６５−１へセルカーソルを移動し、画面上に表示される読み出しボタンをクリックすれば、接続文格納領域１１ｇに登録された前記の新規文章が画面上に表示されるので、これを選択して入力する。
【００９２】
接続文の挿入処理が終了するか、あるいは接続文の入力が不要なときは、図７のステップＳ３３へ進む。ステップＳ３３では、シナリオワークシート６０の画像番号フィールド６５に、画像番号のインデックスを付けるか否かを選択する。インデックスを付けるときには、ステップＳ３４において、画像番号フィールド６５中の所望のセルへ、セルカーソルを移動する。すると、画面上に読み出しボタンが表示されるので、このボタンをクリックすれば、予め登録された映像、史料、写真等の番号が表示されたシートが開く。このシート内から所望の番号を選択すれば、映像、史料、写真等の番号が、画像番号フィールド６５内の所望のセルに入力される。
【００９３】
画像番号を挿入した後、あるいはステップＳ３３で画像番号の入力が不要のときには、ステップＳ３５へ進む。ステップＳ３５において、例えば、シナリオワークシート６０の上方に表示された図示しないツールバーから「印刷プレビュー」ボタンをクリックし、印刷プレビュー画面を表示して、シナリオワークシート６０の入力内容や、印刷される状態を確認する。図１１のセル群からなる各フィールド６１−１，・・・は、印刷可能な入力文字数が制限されているので、制限を越えた入力文字は、フィールド枠からはみ出して切れて読めなくなる。
【００９４】
文字が切れて読めない場合は、フィールド枠の行の高さ調整をする必要があるので、ステップＳ３６へ進み、行の高さ調整を行う。調整方法としては、例えば、シナリオワークシート６０のソフトを保護するために、これには予めシート保護手段が施されているので、このシート保護手段を解除した後、高さを変更したいフィールド枠の行番号を指定してこの行の高さを変更し、切れた文字が読めるように調整する。調整後は、シート保護手段を施し、シナリオワークシート６０のソフトを保護しておく。又、シナリオワークシート６０のソフトを保護するために、「列」や「行」の追加や削除を行わないようにすることが望ましい。
【００９５】
必要があれば、図１１の定例文フィールド６１−１〜６１−７中の文章を修正する。他のフィールド６２−１，・・・中の文章は、入力ワークシート５０Ａとリンクしているので、入力ワークシート５０Ａ上で修正する。その後、シナリオワークシート６０に設けられた図示しない印刷ボタンをクリックすれば、ステップＳ３７へ進み、プリンタ２７によってシナリオワークシート６０が印刷される。
【００９６】
印刷後、シナリオワークシート６０に設けられた図示しない「入力ワークシートへ戻る」ボタンをクリックすれば、ステップＳ３８へ進み、入力ワークシート５０Ａの画面が表示され、ステップＳ３９へ進む。入力ワークシート５０内の「入力内容オールクリア」ボタン５６をクリックすれば、ステップＳ４０へ進み、ＣＰＵ２の制御により、入力ワークシート５０Ａ及び１月分〜１２月分シナリオワークシート６０，・・・の入力内容が全て消去される。
【００９７】
入力内容の全てが消去された後、あるいはステップＳ３９で入力内容の消去不要のときには、ステップＳ４１へ進む。ステップＳ４１において、入力ワークシート５０Ａ内の「トップ画面へ戻る」ボタン５１をクリックすると、ＣＰＵ２の制御により、図３のトップ画面４０が表示される。
【００９８】
作成されたデータベース７０の内容を確認する場合、ステップＳ４２で、図３の「データベース」ボタン４３をクリックすると、ステップＳ４３へ進み、ＣＰＵ２の制御により、図６のデータベース７０がディスプレイ２６に表示される。「データベース」画面でデータ内容を確認し、訂正・追加の必要があれば、画面上のセルカーソルを該当個所へ移動して修正を行う。更に、「データベース」画面上の図示しない「法要画面へ移動」ボタンをクリックすると、図１３の法要日程管理データ７１がディスプレイ２６に表示される。「法要日程管理データ」画面で法要日程をチェックする。管理したい項目を追加する場合は、開いている「列」にセルカーソルを移動して入力する。
【００９９】
「法要日程管理データ」画面上の図示しない「トップ画面へ戻る」ボタンをクリックすると、ステップＳ４４で、図３のトップ画面４０が表示される。画面上の「ナレーションソフト終了」ボタン４５をクリックすると、「変更を保存しますか？」との問いかけがあるので、上書き保存の必要があれば、「はい」ボタンをクリックすれば、上書き保存された後、ステップＳ４５でナレーションソフトが終了する。
【０１００】
（効果）
【０１０１】
図１のシナリオ作成装置では、次の（ａ）〜（ｆ）のような効果がある。
【０１０２】
（ａ）　「Ｅｘｃｅｌ」等の表計算ソフトウェアの関数とマクロを用いて作成されたナレーションプログラムに従って、ＣＰＵ２でシナリオ作成装置全体を制御しているので、葬儀用ナレーションのシナリオ、データベース７０、及び法要日程管理データ７１を短時間の内に、簡単かつ的確に作成できる。特に、「Ｅｘｃｅｌ」等の表計算ソフトウェアは、市販のパソコン等に対して汎用性があり、使いやすく、安定性・拡張性（Ａｃｃｅｓｓ等への展開）に富み、修正・追加が容易にできる等の特徴がある。
【０１０３】
（ｂ）　例えば、故人の生涯の内容を記入する記入用紙を予め用意しておき、遺族の方にその記入用紙に必要事項を記入して頂き、これを元にオペレータが、画面上の入力ワークシート５０Ａ，５０Ｂに必要項目を入力したり、項目の中から必要事項を選択するだけで、これらの内容が自動的にシナリオワークシート６０に貼り付けられる。これにより、短時間で、故人の生涯を綴ったナレーション用のシナリオを作成できる。特に、１月〜１２月まで季節毎に文章が作成され、歴史的な史実も織り交ぜながらシナリオが完成されるので、遺族、親族はもとより、多くの会葬者に感銘を与える内容のシナリオを短時間の内に、簡単かつ的確に作成できる。
【０１０４】
（ｃ）　入力ワークシート５０Ａ，５０Ｂへ入力するだけで、自動的にデータベース７０及び法要日程管理データ７１が作成されるので、葬儀後の煩雑な法要日程管理を簡単かつ的確に行うことができる。
【０１０５】
（ｄ）　入力ワークシート５０Ａ，５０Ｂ中の入力フィールド５３−１〜５３−２４において、実線の矩形の枠で囲まれたフィールドと、破線の矩形の枠で囲まれたフィールドと、一点鎖線の矩形の枠で囲まれたフィールドと、二点鎖線の矩形の枠で囲まれたフィールドとは、それぞれ機能が異なるので、これらを異なる色で画面に表示すれば、オペレータの入力、選択操作がより容易になる。
【０１０６】
（ｅ）　シナリオワークシート６０中の定例文フィールド６１−１〜６１−７、貼付フィールド６２−１〜６２−４、編集文フィールド６３−１〜６３−４、コピーフィールド６４−１，６４−２、及び接続文フィールド６５−１は、それ　ぞれ機能が異なるので、これらを異なる色で画面に表示すれば、見やすくなってオペレータの入力、選択操作がより容易になる。
【０１０７】
（ｆ）　シナリオワークシート６０中に画像番号フィールド６５を設け、映像番号、史料番号、写真番号等を入力するようになっているので、ナレーションの際に映像、史料、写真等の表示を容易に行うことができる。又、これらの映像番号、史料番号、写真番号等を異なる色で画面に表示すれば、見やすくなってオペレータの操作がより容易になる。
【０１０８】
［追悼ビデオ作成装置］
【０１０９】
（構成）
【０１１０】
図１４は、本発明の実施形態を示す追悼ビデオ作成装置の概略の構成図であり、図１のシナリオ作成装置中の構成要素と共通の要素には共通の符号が付されている。
【０１１１】
この追悼ビデオ作成装置は、例えば、パソコン等で構成され、図１のシナリオ作成装置と同様に、バス１、ＣＰＵ１、ＲＯＭ３、ＲＡＭ４、内部記憶装置１０、入力手段（例えば、キーボード２１、マウス２２）、出力手段（例えば、出力ポート２５、ディスプレイ２６、プリンタ２７）、及び外部記憶装置３０を有する他に、新たに、入力手段として画像入力装置２３及び音声入力装置２４と、出力手段として音声出力装置２８とが設けられ、これらが直接又はＩ／Ｏインタフェースを介してバス１に接続されている。
【０１１２】
内部記憶装置１０は、図１と同様に、ＨＤＤ等の大容量の記憶装置であり、これには画像音楽編集プラグラム格納領域１２等が設けられている。画像音楽編集プラグラム格納領域１２には、装置全体を制御するための画像音楽編集プログラムが格納されている。画像音楽編集プログラムとしては、例えば、フォトショップ、ソフトフォトショップ（アトビー社製）等の静止画像編集用ソフトや、ソフトビデオスタジオ６（ユーリードシステムズ（株）製）等の動画像・音楽編集用ソフト等がある。又、この画像音楽編集プラグラム格納領域１２には、図１のシナリオ作成装置で作成された図１１のシナリオワークシート６０のデータを格納するシナリオワークシート格納領域１２ａ、画像データ格納領域１２ｂ、音楽データ格納領域１２と、吹き込まれた音声によるナレーションのデータを格納するナレーションデータ格納領域１２ｄ、及び編集済のビデオデータを格納するビデオデータ格納領域１２ｅ等が設けられている。
【０１１３】
画像入力装置２３は、プリント写真、史料等の静止画像を入力するスキャナ、ディジタルカメラで撮影されたディジタル写真の画像信号を入力する画像入力端子、及びＤＶＤ等に収録された動画像の映像、史料等のビデオ信号を入力するビデオ入力端子等を有している。音声入力装置２４は、マイクロホンや、ＣＤ、ＤＶＤ等のプレーヤの音声出力信号を入力する音声入力端子等を有している。音声出力装置２８は、スピーカや音声出力端子等を有している。
【０１１４】
（追悼ビデオ作成方法）
【０１１５】
図１４の追悼ビデオ作成装置を用いた追悼ビデオ作成方法の一例を、以下説明する。
【０１１６】
予め遺族の方等から借りた故人のプリント写真や遺品等を用意しておく。シナリオワークシート格納領域１２ａには、データ入力済の図１１のようなシナリオワークシート６０のデータを格納しておく。このシナリオワークシート６０内の画像番号フィールド６５に記載された画像番号の写真１、・・・、史料１、・・・、映像１、映像２、・・・を、画像入力装置２３により取り込んで画像データ格納領域１２ｂに格納する。
【０１１７】
例えば、故人等の写真１、・・・を取り込む場合、画像音楽編集プログラム格納領域１２に格納された画像音楽編集プログラム中のフォトショップ等の写真編集用ソフトを開く（読み出す）。画像入力装置２３中のスキャナ等で故人等の写真１、・・・を取り込む。そして、切り抜きやサイズ調整等を行った後、ＪＰＧ等の画像圧縮方式で圧縮し、画像データ格納領域１２ｂに格納する。
【０１１８】
映像１、映像２、・・・を取り込む場合、画像音楽編集プログラム中のソフトビデオスタジオ６等の動画像編集用ソフトを開く。例えば、映像１、映像２、・・・が記録されたＤＶＤ等の光ディスクを追悼ビデオ作成装置にセットし、映像１、映像２、・・・を取り込み、画像圧縮等して画像データ格納領域１２ｂに格納する。
【０１１９】
史料１、・・・を取り込む場合、静止画像のときには写真１、・・・の取り込みと同様の方法で取り込み、動画像のときには映像１、映像２、・・・の取り込みと同様の方法で取り込み、画像圧縮等して画像データ格納領域１２ｂに格納する。
【０１２０】
次に、画像データ格納領域１２ｂに格納された写真１、・・・、映像１、映像２、・・・、史料１、・・・のデータを編集するために、ソフトビデオスタジオ６等の動画像編集用ソフトを用い、格納された写真１、・・・、映像１、映像２、・・・、史料１、・・・を、映し出す順に画面上のストリートボードに配置し、映し出す時間をナレーションの長さに合わせて設定し、映し出す画面間の切替の設定等を行った後、作成された画像のみの第１の追悼ビデオのデータをビデオデータ格納領域１２ｅに格納する。この画像のみの第１の追悼ビデオのデータは、ＤＶＤ等の光ディスク３２に格納して出力してもよい。
【０１２１】
画像のみの第１の追悼ビデオに、バックグラウンドミュージック（以下「ＢＧＭ」という。）等の音楽（ミュージック）を取り込んで演出効果を高める場合、画像音楽編集プログラム中のソフトビデオスタジオ６等の編集用ソフトを開き、メニュー画面から「オーディオ」中の「ミュージック」を選択する。例えば、ＢＧＭ等の音楽が録音されたＣＤ、ＤＶＤ等の光ディスクを追悼ビデオ作成装置にセットし、音楽を取り込んで音楽データ格納領域１２ｃに格納する。格納された音楽データを、編集用ソフトの例えばミュージックトラックに置く。ナレーションの時間に合わせてＢＧＭ等の音楽の時間を設定し、画像に合わせてＢＧＭ等の音楽を切り替えて効果を高めた音楽付きの第２の追悼ビデオのデータをビデオデータ格納領域１２ｅに格納する。この音楽付きの第２の追悼ビデオのデータは、例えば、ＤＶＤ等の光ディスク３２に格納して出力するか、あるいは出力ポート２５から出力する。
【０１２２】
音楽付きの第２の追悼ビデオに、音声によるナレーションを取り込んで演出効果を高める場合、画像音楽編集プログラム中のソフトビデオスタジオ６等の編集用ソフトを用い、このメニュー画面から「オーディオ」中の「ナレーション」を選択する。シナリオワークシート格納領域１２ａに格納されたデータ入力済の図１１のようなシナリオワークシート６０を、画面に表示する。例えば、ナレーションを入れたい箇所にカーソルを移動し、画面上の図示しない表示「プレビューと同期録音」を選び、「録音」ボタンをクリックし、音声入力装置２４中のマイクから、音声によりナレーションを吹き込む。この際、予めＣＤ等に録音しておいたナレーションを入力するようにしてもよい。入力されたナレーションは、圧縮等してナレーションデータ格納領域１２ｄに格納する。格納されたナレーションデータは、レタリング（再編集）等を行って音楽付きの第２の追悼ビデオのデータに付加し、ナレーション・音楽付きの第３の追悼ビデオのデータを作成し、ビデオデータ格納領域１２ｅに格納する。このナレーション・音楽付きの第３の追悼ビデオのデータは、例えば、ＤＶＤ等の光ディスク３２に格納して出力するか、あるいは出力ポート２５から出力する。
【０１２３】
（効果）
【０１２４】
図１４の追悼ビデオ作成装置では、次の（ｉ）〜（ｉｖ）のような効果がある。
【０１２５】
（ｉ）　図１のシナリオ作成装置で作成された図１１のようなデータ入力済のシ　ナリオワークシート６０を用い、このシナリオワークシート６０内の画像番号フィールド６５に記載された画像番号の写真１、史料１、、映像１、映像２、・・・を、映し出す順に取り込んで画像のみの第１の追悼ビデオを作成するようにしたので、映し出す時間がナレーションの長さに合致した第１の追悼ビデオを短時間で、簡単かつ的確に作成できる。
【０１２６】
（ｉｉ）　画像のみの第１の追悼ビデオに、ＢＧＭ等の音楽をナレーションの時間に合わせて取り込んで音楽付きの第２の追悼ビデオを作成するようにしたので、映し出す画像に適合したＢＧＭ等の音楽付きの演出効果の高い第２の追悼ビデオを短時間で、簡単かつ的確に作成できる。
【０１２７】
（ｉｉｉ）　音楽付きの第２の追悼ビデオに、音声によるナレーションを取り込ん　で音楽・ナレーション付きの第３の追悼ビデオを作成するようにしたので、映し出す画像やＢＧＭ等の音楽に適合した音楽・ナレーション付きのより演出効果の高い第３の追悼ビデオを短時間で、簡単かつ的確に作成できる。
【０１２８】
（ｉｖ）　ビデオ作成の時期も、故人が亡くなってから作成するのではなく、元気　に生きている内に、個人の歴史（自分史）を作成編集することにより、生前中に　試写会を行い、当人から手直しする部分や加筆する部分、更には、好きなＢＧＭ等、質的に高いビデオに加工し、保存しておいてもよい。これにより、人生の最終頁を迎える局面で心おきなく、迷わず、静かにその時を迎えることができる。
【０１２９】
［葬儀演出システム］
【０１３０】
（構成）
【０１３１】
図１５は、本発明の実施形態を示す葬儀演出システムの概略の構成図である。
【０１３２】
例えば、葬儀用ホール内の正面には、祭壇８１が設置されている。祭壇８１の中央には花壇８２が設けられ、この花壇８２の前に、棺８３や、故人の写真入り額縁８４等が設置されている。花壇８２の背面側の天井からは、水引幕８５等が垂れ下がっている。祭壇８１上の棺８３の前には、焼香台８６が設置されている。焼香台８６と向き合う位置には、図示しないが、会葬者用の多数の椅子が並べられ、これらの椅子の近くに、葬儀司会者用の司会台８７が設置されている。
【０１３３】
この葬儀用ホールには、葬儀演出システムを構成するビデオ再生装置９１、マイク９２、プラズマディスプレイ等の大画面（例えば、数百インチ）のディスプレイ９３、スピーカ９４、及び図示しない照明装置等が設けられている。
【０１３４】
ビデオ再生装置９１は、図１４の追悼ビデオ作成装置により作成された画像のみの第１の追悼ビデオ、音楽付きの第２の追悼ビデオ、あるいは音楽・ナレーション付きの第３の追悼ビデオを再生する装置であり、例えば、司会台８７の下等の隠れた場所に設置されている。ビデオ再生装置９１には、司会用のマイクロホン９２が有線又は無線により接続され、更に、大画面のディスプレイ９３及びスピーカ９４等が接続されている。大画面のディスプレイ９３は、例えば、花壇８２上に設置されている。スピーカ９４は、天井や壁等に取り付けられている。
【０１３５】
（仏式の葬儀例）
【０１３６】
図１６は、仏式の葬儀例を示すフローチャートである。
【０１３７】
例えば、仏式の葬儀の場合、先ずステップＳ５０において、図１４の追悼ビデオ作成装置により作成された追悼ビデオを用いて、故人の紹介が行われる。
【０１３８】
この際、音楽・ナレーション付きの第３の追悼ビデオを使用する場合、例えは、その追悼ビデオが格納されたＤＶＤ等の光ディスク３２をビデオ再生装置９１にセットし、スタートスイッチをオン状態にする。すると、光ディスク３２に格納された追悼ビデオが再生され、データ入力済の図１１のようなシナリオワークシート６０の画像番号の映像１、映像２、写真１、史料１、映像１、・・・・が大画面のディスプレイ９３から順次映し出されると共に、録音されたＢＧＭ等の音楽とナレーションがスピーカ９４から発せられ、故人の尊い生涯が会葬者に紹介されていく。これにより、多くの会葬者は、故人生前の徳を称え、成仏を祈り、魂の鎮を願うであろう。
【０１３９】
音楽付きの第２の追悼ビデオを使用する場合は、これがビデオ再生装置９１によって再生され、データ入力済の図１１のようなシナリオワークシート６０の画像番号の映像１、映像２、写真１、史料１、映像１、・・・・が、大画面のディスプレイ９３から順次映し出されると共に、録音されたＢＧＭ等の音楽がスピーカ９４から発せられる。葬儀司会者は、データ入力済の図１１のようなシナリオに基づき、マイクロホン９２を用いて生の声で、故人の生まれてからお亡くなりになるまでの尊い生涯を会葬者に対して詩的に語りかけていく。これにより、故人の最後にふさわしい、効果的な葬儀が演出される。
【０１４０】
又、画像のみの第１の追悼ビデオを使用する場合には、これがビデオ再生装置９１によって再生され、データ入力済の図１１のようなシナリオワークシート６０の画像番号の映像１、映像２、写真１、史料１、映像１、・・・・が、大画面のディスプレイ９３から順次映し出されていく。葬儀司会者は、効果を高めるために、録音されたＢＧＭ等の音楽や故人の生前の声等をオーディオ再生機等から出力させつつ、データ入力済の図１１のようなシナリオに基づき、マイクロホン９２を用いて生の声で、故人の尊い生涯を会葬者に対して詩的に語りかけていく。これにより、故人の最後にふさわしい、効果的な葬儀が演出される。
【０１４１】
引き続いて、ステップＳ５１で厳かな読経が始まり、ステップＳ５２で参列者による焼香が行われる。焼香が終わると、ステップＳ５３で故人とのお別れが行われ、ステップＳ５４で出棺が行われる。
【０１４２】
（効果）
【０１４３】
図１５の葬儀演出装置では、次の（１）、（２）のような効果がある。
【０１４４】
（１）　ビデオ再生装置９１により再生されたシナリオワークシート６０の画像番号の映像１、映像２、写真１、史料１、映像１、・・・・が、大画面のディスプレイ９３から順次映し出されると共に、ＢＧＭ等の音楽とナレーションがスピーカ９４から発せられ、故人の尊い生涯が会葬者に紹介されていく。そのため、多くの会葬者により、故人の「こういう素晴らしい面があったのか」、「このような才能があったのか」等が再発見がされ、故人の徳を称えながらお別れができ、故人の最後にふさわしい葬儀の演出ができる。
【０１４５】
（２）　音楽・ナレーション付きの第３の追悼ビデオを使用する場合は、画像、ＢＧＭ等の音楽及びナレーションがビデオ再生装置９１で再生されて大画面のディスプレイ９３やスピーカ９４から出力されるので、自動的に故人の尊い生涯を紹介することができる。又、音楽付きの第２の追悼ビデオ、あるいは画像のみの第１の追悼ビデオを使用する場合には、データ入力済の図１１のようなシナリオに基づき、葬儀司会者の生の声で、故人の尊い生涯が参列者に語りかけられるので、より感銘深い効果的な葬儀を演出できる。
【０１４６】
［変形例］
【０１４７】
なお、本発明は図示の実施形態に限定されず、種々の変形や利用形態が可能である。この変形や利用形態としては、例えば、次の（Ｉ）〜（ＩＶ）のようなものが　ある。
【０１４８】
（Ｉ）　図１のシナリオ作成装置では、「故人の生涯記録１」及び「故人の生涯　記録２」の２種類のシナリオを作成する例について説明したが、シナリオの種類は１種類、あるいは３種類以上であってもよい。又、入力ワークシート５０Ａ，５０Ｂのフォーマットは、図４及び図５に限定されず、入力フィールド及びボタンの種類や配置形態等を、種々変更が可能である。
【０１４９】
（ＩＩ）　図１５において、追悼ビデオが格納された光ディスク３２をビデオ再生装置９１にセットして追悼ビデオを再生するようにしたが、これに限定されない。例えば、図１４の追悼ビデオ作成装置の出力ポート２５から出力された追悼ビデオデータを、インターネット等の通信網を介して図１５のビデオ再生装置９１へ送信し、このビデオ再生装置９１で再生するようにしてもよい。
【０１５０】
（ＩＩＩ）　図１４の追悼ビデオ作成装置の内部記憶装置１０に、図１のナレーシ　ョンプログラムを格納すれば、この追悼ビデオ作成装置を用いて図１と同様のシナリオを作成できる。又、図１４の追悼ビデオ作成装置は、光ディスク３２等の記録データを再生できるので、図１５のビデオ再生装置９１として使用することも可能である。
【０１５１】
（ＩＶ）　図１のシナリオ作成装置を用いて葬儀以外のセレモニー等のナレーションを作成したり、図１４の追悼ビデオ作成装置を用いて葬儀以外のセレモニー等のビデオを作成することも可能である。
【０１５２】
【発明の効果】
【０１５３】
以上詳細に説明したように、請求項１に係る発明によれば、入力ワークシートとシナリオワークシートとがリンクしているので、入力ワークシート中の各フィールドに所定のデータを入力すれば、この入力データがシナリオワークシート中の所定のフィールドに転送されて入力される。これにより、１月分〜１２月分の葬儀用ナレーションのシナリオを、短時間の内に、簡単かつ的確に作成することができる。しかも、シナリオワークシートとデータベースと法要日程管理データとがリンクしているので、シナリオワークシートにデータが入力されると、この入力データに基づき自動的にデータベースが作成され、更に、このデータベースに基づき自動的に法要日程管理データが作成される。従って、この法要日程管理データにより、葬儀後の煩雑な法要日程の管理を、簡単かつ的確に行うことができる。
【０１５４】
請求項２に係る発明によれば、葬儀用ナレーションのシナリオが印刷されて出力されるので、葬儀の際に、このシナリオを見ながら故人の尊い生涯のナレーションを容易に行うことができる。
【０１５５】
請求項３に係る発明によれば、画像音楽編集プログラムに従い、シナリオワークシートのデータに基づいて画像データ及び音楽データが編集されるので、短時間の内に容易に、ナレーションの内容に対応した演出効果の高い追悼ビデオを作成できる。
【０１５６】
請求項４に係る発明によれば、画像音楽編集プログラムに従い、シナリオワークシートのデータに基づいて画像データ、音楽データ、及び音声によるナレーションが編集されるので、短時間の内に容易に、音声によるナレーション付きの演出効果の高い追悼ビデオを作成できる。
【０１５７】
請求項５に係る発明によれば、追悼ビデオデータが記録された追悼ビデオディスクが作成されるので、この追悼ビデオディスクを再生することにより、演出効果の高い葬儀を行うことができる。
【０１５８】
請求項６に係る発明によれば、追悼ビデオの画像を大画面で映像表示すると共に、音楽をスピーカから出力しつつ、シナリオを用いて音声によるナレーションをスピーカから出力するようにしたので、故人の尊い生涯が会葬者に紹介され、故人の最後にふさわしい葬儀の演出ができる。
【０１５９】
請求項７に係る発明によれば、追悼ビデオの画像を大画面で映像表示すると共に、音楽及びナレーションをスピーカから出力するようにしたので、自動的に、故人の尊い生涯が会葬者に紹介され、故人の最後にふさわしい葬儀を容易に演出ができる。
【図面の簡単な説明】
【図１】図１は、本発明の実施形態を示す葬儀用ナレーションのシナリオ作成装置の概略の構成図である。
【図２】図２は、図１のシナリオ作成装置を用いたシナリオ作成手順を示す図である。
【図３】図３は、図２中のトップ画面４０の例を示す図である。
【図４】図４は、図２中の「故人の生涯記録１」の入力ワークシート５０Ａの例を示す図である。
【図５】図５は、図２中の「故人の生涯記録２」の入力ワークシート５０Ｂの例を示す図である。
【図６】図６は、図２中のデータベース７０の例を示す図である。
【図７】図７は、図２中のシナリオ作成処理の例を示すフローチャートである。
【図８】図８は、図１中の宗旨格納領域１１ｅに格納された宗旨に関する定例文の例を示す図である。
【図９】図９は、図１中の史実格納領域１１ｆに格納された歴史的な出来事の例を示す図である。
【図１０】図１０は、図７中の入力ワークシートの印刷例を示す図である。
【図１１】図１１は、図７中のシナリオワークシート６０の例を示す図である。
【図１２】図１２は、図１中の接続文格納領域１１ｇに格納された接続文の例を示す図である。
【図１３】図１３は、図１中の法要日程格納領域１１ｄに格納された法要日程管理データ７１の例を示す図である。
【図１４】図１４は、本発明の実施形態を示す追悼ビデオ作成装置の概略の構成図である。
【図１５】図１５は、本発明の実施形態を示す葬儀演出システムの概略の構成図である。
【図１６】図１６は、仏式の葬儀例を示すフローチャートである。
【符号の説明】
２　　ＣＰＵ
１０　　内部記憶装置
１１　　ナレーションプログラム格納領域
１１ａ　　入力ワークシート格納領域
１１ｂ　　シナリオワークシート格納領域
１１ｃ　　データベース格納領域
１１ｄ　　法要日程格納領域
１１ｅ　　宗旨格納領域
１１ｆ　　史実格納領域
１１ｇ　　接続文格納領域
１２　　画像音楽編集プログラム格納領域
１２ａ　　シナリオワークシート格納領域
１２ｂ　　画像データ格納領域
１２ｃ　　音楽データ格納領域
１２ｄ　　ナレーションデータ格納領域
１２ｅ　　ビデオデータ格納領域
２１　　　キーボード
２２　　マウス
２３　　画像入力装置
２４　　音声入力装置
２５　　出力ポート
２６　　ディスプレイ
２７　　プリンタ
２８　　音声出力装置
３０　　外部記憶装置
３１　　磁気ディスク
３２　　光ディスク
５０Ａ，５０Ｂ　　入力ワークシート
５３−１〜５３−２４　　フィールド
６０　　シナリオワークシート
６１−１〜６１−７，６２−１〜６２−４，６３−１〜６３−４，６４−１，６４−２，６５　　フィールド
７０　　データベース
７１　　法要日程管理データ
８１　　祭壇
８４　　額縁
９１　　ビデオ再生装置
９２　　マイクロホン
９３　　ディスプレイ
９４　　スピーカ
【図１】
2004078263.tif 000003
【図２】
2004078263.tif 000004
【図３】
2004078263.tif 000005
【図４】
2004078263.tif 000006
【図５】
2004078263.tif 000007
【図６】
2004078263.tif 000008
【図７】
2004078263.tif 000009
【図８】
2004078263.tif 000010
【図９】
2004078263.tif 000011
【図１０】
2004078263.tif 000012
【図１１】
2004078263.tif 000013
【図１２】
2004078263.tif 000014
【図１３】
2004078263.tif 000015
【図１４】
2004078263.tif 000016
【図１５】
2004078263.tif 000017
【図１６】
2004078263.tif 000018